(57)【要約】【課題】操作者の入力操作や情報閲覧操作を大きく妨げることなく、周囲の不特定者による不正な閲覧から表示情報を保護する。【解決手段】ブラインド・ウィンドウ表示制御プログラム１３１の実行により、アプリケーション・プログラムにより生成される表示データに重畳させて当該表示データを視覚的に隠蔽するためのブラインドパターン４１を表示デバイス４に表示させると共に、マウスポインタ４２とその周辺の限定された領域を上記ブラインドパターン４１から露出させるための円形のウィンドウパターン４３を生成して表示させ、かつマウスポインタ４２の移動に追従して上記ウィンドウパターン４３の表示位置を移動させる。【選択図】      図２
2008293191.tif 000002
【特許請求の範囲】
【請求項１】
情報を表示するために使用する表示デバイス及び情報を入力するために使用する入力デバイスがそれぞれ接続される情報端末装置であって、
アプリケーション・プログラムの実行中に、その実行により生成される表示情報を前記表示デバイスに表示させる手段と、
前記入力デバイスによる情報の入力位置を表すポインタ又はカーソルを前記表示情報に重畳して前記表示デバイスに表示させる手段と、
前記表示情報の視認性を制限するためのブラインドパターンを生成して、このブラインドパターンを前記表示情報に重畳して前記表示デバイスに表示させるブラインド表示制御手段と、
前記ポインタ又はカーソルとその周辺の限られた領域内の表示情報を露出させるためのウィンドウパターンを生成して、このウィンドウパターンを前記ブラインドパターンに挿入して前記表示デバイスに表示させるウィンドウ表示制御手段と
を具備することを特徴とする情報端末装置。
【請求項２】
前記ウィンドウ表示制御手段は、前記ポインタ又はカーソルの表示位置の移動に追従して、前記ウィンドウパターンの表示位置を移動させる手段を、さらに備えることを特徴とする請求項１記載の情報端末装置。
【請求項３】
前記ウィンドウパターンの形状とサイズのうちの少なくとも１つを表すウィンドウ属性設定データの入力を受け付けてこのウィンドウ属性設定データを記憶する手段を、さらに具備し、
前記ウィンドウ表示制御手段は、前記記憶されたウィンドウ属性の設定データに基づいて、前記ウィンドウパターンの形状と表示サイズのうちの少なくとも１つを可変設定することを特徴とする請求項１又は２記載の情報端末装置。
【請求項４】
前記ブラインドパターンの透過度、色及び画像パターンのうちの少なくとも１つを表すブラインド属性設定データの入力を受け付けてこのブラインド属性設定データを記憶する手段を、さらに具備し、
前記ブラインド表示制御手段は、前記記憶されたブラインド属性設定データに基づいて、前記ブラインドパターンの透過度、色及び画像パターンのうちの少なくとも１つを可変設定することを特徴とする請求項１又は２記載の情報端末装置。
【請求項５】
表示デバイスに情報を表示させる際に、
アプリケーション・プログラムの実行中に、その実行により生成される表示情報を前記表示デバイスに表示させ、
情報の入力位置を表すポインタ又はカーソルを前記表示情報に重畳して前記表示デバイスに表示させ、
前記表示情報の視認性を制限するためのブラインドパターンを生成して、このブラインドパターンを前記表示情報に重畳して前記表示デバイスに表示させ、
前記ポインタ又はカーソルとその周辺の限られた作業領域内の表示情報を露出させるためのウィンドウパターンを生成して、このウィンドウパターンを前記ブラインドパターンに挿入して前記表示デバイスに表示させることを特徴とする情報表示方法。
【請求項６】
前記ウィンドウパターンを表示させる際に、前記ポインタ又はカーソルの表示位置の移動に追従して、前記ウィンドウパターンの表示位置を移動させることを特徴とする請求項５記載の情報表示方法。
【請求項７】
前記ウィンドウパターンの形状とサイズのうちの少なくとも１つを表すウィンドウ属性設定データの入力を受け付けて、この受け付けたウィンドウ属性設定データを記憶する過程をさらに備え、
前記ウィンドウパターンを表示させる際に、前記記憶されたウィンドウ属性の設定データに基づいて、前記ウィンドウパターンの形状と表示サイズのうちの少なくとも１つを可変設定することを特徴とする請求項５又は６記載の情報表示方法。
【請求項８】
前記ブラインドパターンの透過度、色及び画像パターンのうちの少なくとも１つを表すブラインド属性設定データの入力を受け付けて、このブラインド属性設定データを記憶する過程をさらに備え、
前記ブラインドパターンを表示する際に、前記記憶されたブラインド属性設定データに基づいて、前記ブラインドパターンの透過度、色及び画像パターンのうちの少なくとも１つを可変設定することを特徴とする請求項５又は６記載の情報表示方法。
【請求項９】
情報を表示するために使用する表示デバイス及び情報を入力するために使用する入力デバイスがそれぞれ接続されかつコンピュータを備えた情報端末装置で使用される情報表示制御プログラムであって、
アプリケーション・プログラムの実行中に、その実行により生成される表示情報を前記表示デバイスに表示させる処理と、
前記入力デバイスによる情報の入力位置を表すポインタ又はカーソルを前記表示情報に重畳して前記表示デバイスに表示させる処理と、
前記表示情報の視認性を制限するためのブラインドパターンを生成して、このブラインドパターンを前記表示情報に重畳して前記表示デバイスに表示させる処理と、
前記ポインタ又はカーソルとその周辺の限られた領域内の表示情報を露出させるためのウィンドウパターンを生成して、このウィンドウパターンを前記ブラインドパターンに挿入して前記表示デバイスに表示させる処理と、
前記ポインタ又はカーソルの表示位置の移動に追従して、前記ウィンドウパターンの表示位置を移動させる処理と
を、前記コンピュータに実行させることを特徴とする情報表示制御プログラム。
【発明の詳細な説明】
【技術分野】
【０００１】
この発明は、パーソナル・コンピュータや携帯電話機、ＰＤＡ（Personal Digital Assistant）等のように情報表示機能を備えた情報端末装置と、この情報端末装置において使用される情報表示方法及び情報表示制御プログラムに関する。
【背景技術】
【０００２】
パーソナル・コンピュータや携帯電話機、ＰＤＡ等の情報端末装置では、表示デバイスに情報を表示させながら入力操作や情報閲覧操作を行うことが一般的である。この種の操作を行う場合に注意しなければならないことは、表示デバイスに表示された個人情報等の表示情報が、操作者以外の不特定者により不正に閲覧されないようにすることである。
【０００３】
このような不正な閲覧を防ぐために、従来では例えば視野角を制限するための特殊なフィルム又はシートを表示画面に貼付したり、スクリーンセーバ機能を使用して非操作時に表示情報を表示しないようにする対策が採られている。このうち、スクリーンセーバ機能を利用した手法としては、例えば操作者が表示画面の前から離れたときにこれを赤外線センサにより感知して表示デバイスにおける情報の表示を非表示とし、操作者が表示画面の前に戻ったときにこれを赤外線センサにより感知して情報表示動作を再開させる手法が提案されている（例えば、特許文献１を参照。）。また、スクリーンセーバ機能にセキュリティ機能を追加し、セーブ状態を解除する際にパスワードを入力する代わりに電子署名照合により本人確認行ったのちセーブ状態を解除する手法も提案されている（例えば、特許文献２を参照。）。
【０００４】
【特許文献１】特開平９−２９２８７０号公報
【０００５】
【特許文献２】特許第３８６３９８１号公報
【発明の開示】
【発明が解決しようとする課題】
【０００６】
ところが、表示画面に特殊なフィルム又はシートを貼付するものは、操作者が表示画面を常にほぼ正面から見なければならず、またフィルム又はシートの透明度によっては操作者自身の視認性も低下させると云う問題点を有している。一方、スクリーンセーバ機能を利用する手法は、操作者が離席しているときの表示情報を保護するものであり、操作者が在籍するときの表示情報の盗み見を防ぐことはできない。また、スクリーンセーバ機能により情報を非表示にしている状態では、操作者は入力操作や情報閲覧操作を行うことができない。
【０００７】
この発明は上記事情に着目してなされたもので、その目的とするところは、操作者の入力操作や情報閲覧操作を大きく妨げることなく、周囲の不特定者による不正な閲覧から表示情報を保護することができる情報端末装置及び情報表示方法とそのプログラムを提供することにある。
【課題を解決するための手段】
【０００８】
上記目的を達成するためにこの発明の一つの観点は、表示デバイスに情報を表示させる際に、アプリケーション・プログラムの実行中にその実行により生成される表示情報を上記表示デバイスに表示させ、情報の入力位置を表すポインタ又はカーソルを上記表示情報に重畳して上記表示デバイスに表示させ、上記表示情報の視認性を制限するためのブラインドパターンを生成して、このブラインドパターンを上記表示情報に重畳して上記表示デバイスに表示させ、上記ポインタ又はカーソルとその周辺の限られた作業領域内の表示情報を露出させるためのウィンドウパターンを生成して、このウィンドウパターンを上記ブラインドパターンに挿入して上記表示デバイスに表示させるようにしたものである。
【０００９】
したがって、表示デバイスの表示画面では、表示情報のうちポインタ又はカーソルとその周辺の限定された領域の表示情報のみがウィンドウパターンにより露出して表示され、その他の表示情報はブラインドパターンにより隠される。このため、情報入力操作又は情報閲覧操作の対象となる領域の表示情報についてはその視認性が充分に確保され、その上でその他の表示情報については不特定者から視認できないように隠蔽される。
【００１０】
また、この発明の一つの観点は次のような各種手段又は処理過程を備えることを特徴とする。  
第１の手段又は処理過程は、ウィンドウパターンを表示させる際に、ポインタ又はカーソルの表示位置の移動に追従して上記ウィンドウパターンの表示位置を移動させるものである。  
このようにすると、操作者がマウスやキーボード等の入力デバイスを操作してポインタ又はカーソルの表示位置を移動させると、それに追従してウィンドウパターンが表示画面上で移動する。このため、操作者はポインタ又はカーソルを移動させながら、入力操作又は情報閲覧操作の対象となる領域の表示情報を常時視認することが可能となる。
【００１１】
第２の手段又は処理過程は、ウィンドウパターンの形状とサイズのうちの少なくとも１つを表すウィンドウ属性設定データの入力を受け付けて、この受け付けたウィンドウ属性設定データを記憶する。そして、ウィンドウパターンを表示させる際には、上記記憶されたウィンドウ属性の設定データに基づいて上記ウィンドウパターンの形状と表示サイズのうちの少なくとも１つを可変設定するようにしたものである。  
したがって、操作者はウィンドウパターンの形状とその大きさの少なくとも一方を任意に設定し、表示させることが可能なる。
【００１２】
第３の手段又は処理過程は、ブラインドパターンの透過度、色及び画像パターンのうちの少なくとも１つを表すブラインド属性設定データの入力を受け付けて、このブラインド属性設定データを記憶する。そして、ブラインドパターンを表示する際には、上記記憶されたブラインド属性設定データに基づいて、上記ブラインドパターンの透過度、色及び画像パターンのうちの少なくとも１つを可変設定するようにしたものである。  
したがって、操作者は、ブラインドパターンの透過度、色及び画像パターンのうちの少なくとも１つを任意に設定し、表示させることが可能となる。
【発明の効果】
【００１３】
すなわち、この発明の一観点によれば、操作者の入力操作や情報閲覧操作を大きく妨げることなく、周囲の不特定者による不正な閲覧から表示情報を保護することが可能な情報端末装置及び情報表示方法とそのプログラムを提供することができる。
【発明を実施するための最良の形態】
【００１４】
以下、図面を参照してこの発明に係わる実施形態を説明する。  
図１は、この発明の一実施形態に係わる情報端末装置の構成をその周辺デバイスと共に示すブロック図である。  
情報端末装置１は例えばパーソナル・コンピュータからなり、マイクロプロセッサを使用した中央処理ユニット（ＣＰＵ）１１を備えている。このＣＰＵ１１には、バス１２を介してプログラムメモリ１３、アプリケーション・メモリ１４及びデータメモリ１５がそれぞれ接続され、さらに入力インタフェース１６及び出力インタフェース１７が接続されている。
【００１５】
アプリケーション・メモリ１４は、例えば記録媒体としてハードディスクを用いた内部記憶装置からなり、このメモリ１４には文書作成、表作成、画像処理、ブラウジング等のための複数のアプリケーション・プログラム１４１と、ディジタルカメラ等により撮像された画像ファイル１４２等が記憶される。
【００１６】
データメモリ１５はＲＡＭからなり、ウィンドウ属性記憶領域１５１と、ブラインド属性記憶領域１５２を備えている。ウィンドウ属性記憶領域１５１にはウィンドウ属性の設定データが記憶される。ブラインド属性記憶領域１５２にはブラインド属性の設定データが記憶される。
【００１７】
プログラムメモリ１３はＲＯＭからなり、このメモリ１３には通常の表示制御プログラム等に加え、この発明を実現するための新たなプログラムとして、ブラインド・ウィンドウ表示制御プログラム１３１と、ブラインド・ウィンドウ属性設定制御プログラム１３２が格納されている。
【００１８】
ブラインド・ウィンドウ表示制御プログラム１３１は、アプリケーション・プログラムの起動中に、キーボード２又はマウス３の操作によりブラインド・ウィンドウ表示モードが指定入力された場合に、上記データメモリ１５からブラインド属性の設定データ及びウィンドウ属性の設定データを読み出し、この読み出した各設定データに従い表示デバイス４にブラインドパターン及びウィンドウを表示させる処理を、上記ＣＰＵ１１に実行させる。
【００１９】
ブラインド・ウィンドウ属性設定制御プログラム１３２は、キーボード２又はマウス３の操作によりブラインド・ウィンドウ属性設定モードが指定入力された場合に、ブラインド・ウィンドウ属性の設定メニュー画面を表示デバイス４に表示させ、この状態でキーボード２又はマウス３の操作により入力されたブラインド属性の設定データ及びウィンドウ属性の設定データを上記データメモリ１５に記憶させる処理を、上記ＣＰＵ１１に実行させる。
【００２０】
次に、以上のように構成された装置による情報表示制御動作を説明する。図２はその制御手順と制御内容を示すフローチャートである。  
文書作成又は表作成等のアプリケーション・プログラムの起動指示が入力されると、ＣＰＵ１１はステップＳ２１により該当するアプリケーション・プログラムを起動してステップＳ２２に移行し、上記起動されたアプリケーション・プログラムの初期画面を表す表示データを表示デバイス４に表示させる。
【００２１】
さて、この状態で操作者がキーボード２又はマウス３を操作してブラインド・ウィンドウ表示モードを指定入力したとする。そうするとＣＰＵ１１は、ステップＳ２３からステップＳ２５に移行し、ここで表示モードとしてブラインド・ウィンドウ表示モードを設定する。
【００２２】
なお、表示モードのデフォルトは通常表示モードに設定されており、操作者が上記ブラインド・ウィンドウ表示モードを指定入力しなければ、ＣＰＵ１１はステップＳ２４に移行する。そして、ここで通常の表示処理を実行し、以後上記アプリケーション・プログラムの実行の過程で、又は実行の結果生成された表示データをそのまま表示デバイス４に表示させる。
【００２３】
上記ブラインド・ウィンドウ表示モードが設定されると、ＣＰＵ１１は以後ブラインド・ウィンドウ表示処理を実行する。図４はその処理手順と処理内容を示すフローチャートである。  
すなわち、ＣＰＵ１１は先ずステップＳ４１及びステップＳ４２によりデータメモリ１５からそれぞれブラインド属性設定データ及びウィンドウ属性設定データを読み出す。そして、ステップＳ４３において上記読み出されたブラインド属性設定データに従いブラインドパターンを生成し、このブラインドパターンを上記アプリケーション・プログラムの実行により生成される表示データに重畳して表示デバイス４に表示させる。例えば図６に示すように、表示デバイス４の表示画面全面に、アプリケーション・プログラムによる表示データを覆うようにダークグレイ等の比較的濃い色のブラインドパターン４１を表示させる。
【００２４】
次にＣＰＵ１１は、ステップＳ４４において上記読み出されたウィンドウ属性設定データに従い、マウスポインタとその周辺の限定された領域を上記ブラインドパターンから露出させるためのウィンドウパターンを生成する。そして、この生成されたウィンドウパターンをマウスポインタの表示位置に対応付けて表示デバイス４に表示させる。例えば図６に示すように、マウスポインタ４２とその周辺の限定された領域を含む円形のウィンドウパターン４３を生成し、このウィンドウパターン４３を上記ブラインドパターン４１に挿入して表示デバイス４表示させる。
【００２５】
したがって、上記ウィンドウパターン４３により囲まれた円形範囲内のマウスポインタ４２及び表示データのみが露出して表示され、操作者はこのマウスポインタ４２及び表示データを視認することが可能となる。一方、表示装置４の上記ウィンドウパターン４３以外の表示領域においては、上記ブラインドパターン４１により隠されて表示データが表示されない。このため、不特定者が操作者の背後又は斜め後方から表示装置４の画面を見ても、上記ウィンドウパターン４３以外の表示領域の表示データを盗み見ることは不可能となり、セキュリティが維持される。
【００２６】
また、上記ブラインドパターン４１及びウィンドウパターン４３が表示された状態で、操作者がマウス３を操作してマウスポインタ４２を移動させたとする。そうするとＣＰＵ１１はステップＳ４５からステップＳ４６に移行し、ここで上記マウスポインタ４２の移動に追従して、例えば図７に示すようにマウスポインタ４２が常に円のほぼ中央に位置する状態を保ったまま、ウィンドウパターン４３の表示位置をＰ１からＰ２へ移動させる。したがって、操作者はマウスポインタ４２を移動させながら、常に当該マウスポインタ４２とその周辺の作業範囲内の表示データを視認し続けることが可能となる。  
以上説明したブラインド・ウィンドウ表示処理は、操作者がブラインド・ウィンドウ表示モードを終了するまで実行される。
【００２７】
ところで、上記ブラインドパターン及びウィンドウパターンの属性は、操作者が任意に設定することが可能である。この属性を設定する場合、操作者はキーボード２又はマウス３を操作してブラインド・ウィンドウ属性設定モードを指定入力する。ＣＰＵ１１は、当該ブラインド・ウィンドウ属性設定モードの指定入力を受け取ると、図２に示すようにステップＳ２６からステップＳ２７に移行して、以後ブラインド・ウィンドウ設定処理を実行する。図３はその処理手順と処理内容を示すフローチャートである。
【００２８】
すなわち、ＣＰＵ１１は先ずステップＳ３１により設定メニュー画面を表示デバイス４に表示させる。そして、この状態で操作者がマウス３又はキーボード２を操作してブラインド属性及びウィンドウ属性を入力すると、ステップＳ３２からステップＳ３３に移行して上記入力された各属性データを保持する。そして、操作者が入力終了操作を行うと、ステップＳ３４からステップＳ３５に移行して、ここで上記保持された各属性データをデータメモリ１５のブラインド属性記憶領域１５２及びウィンドウ属性記憶領域１５１に記憶させる。
【００２９】
例えば、設定メニュー画面は図５に示すように構成される。すなわち、先ずウィンドウ属性については、ウィンドウパターンの形状とそのサイズの設定メニューが用意されている。このうちウィンドウパターンの形状については円形と矩形の選択ボタンが用意され、操作者がこれらの選択ボタンのいずれかを指定することによりウィンドウパターンの形状が設定される。またサイズについては、円形サイズ及び矩形サイズの設定入力窓が設けられており、これらの設定入力窓において操作者が数値を入力することで、ウィンドウパターンのサイズが設定される。
【００３０】
一方、ブラインド属性については、ブラインドパターンの透明度、色、画像取り込み用の選択ボタンが用意されている。このうち透明度については０％〜１００％の範囲で任意の値を設定可能となっており、スライダボタンを左右に移動させることにより任意の透明度が設定される。色については選択ボタンを押下すると色パケットが表示され、操作者がマウス３の操作によりこの色パケット中から任意の色を選択することでブラインドパターンの色が設定される。また画像取り込み用の選択ボタンを押下すると、アプリケーション・メモリ１４から画像ファイルのリストが読み出されて表示され、操作者がマウス３の操作によりこの画像ファイルのリストの中から任意の画像ファイルを選択すると、ブラインドパターンとして使用される画像ファイルが設定される。画像ファイルとしては、パーソナル・コンピュータに壁紙として予め用意された画像ファイルやウエブサイトからダウンロードした画像ファイル、操作者がディジタルカメラ等により撮像した画像ファイル等が利用可能である。
【００３１】
なお、上記ブラインドパターンの透明度を表示画面上で実現する手法としては、例えばアプリケーション・プログラムによる表示データ上にブラインドパターンを重畳する際に、ブラインドパターンの画素の間引き率を上記設定された透明度に応じて可変することにより実現できる。このようにブラインドパターンを半透明にすると、不特定者に対してはブラインド領域に対する視認の困難性を維持しつつ、操作者に対しては同領域の表示データを視認可能にすることができる。
【００３２】
上記ブラインド属性及びウィンドウ属性の各設定データの登録処理が終了すると、ＣＰＵ１１はステップＳ２８によりアプリケーション・プログラムの終了を監視する。そして、アプリケーション・プログラムの起動中はステップＳ２２に戻って以上述べた表示制御を繰り返し実行し、アプリケーション・プログラムの終了操作を検出すると表示制御を終了する。
【００３３】
以上述べたようにこの実施形態では、アプリケーション・プログラムにより生成される表示データに重畳させて当該表示データを視覚的に隠蔽するためのブラインドパターン４１を表示させると共に、マウスポインタ４２とその周辺の限定された領域を上記ブラインドパターン４１から露出させるための円形のウィンドウパターン４３を生成して表示させ、かつマウスポインタ４２の移動に追従して上記ウィンドウパターン４３の表示位置を移動させるようにしている。
【００３４】
したがって、ウィンドウパターン４３により囲まれた円形範囲内のマウスポインタ４２及び表示データのみが露出して表示され、操作者はこのマウスポインタ４２及び表示データを視認することができる。一方、表示装置４の上記ウィンドウパターン４３以外の表示領域については、上記ブラインドパターン４１により隠されて表示データが表示されないため、不特定者が操作者の背後又は斜め後方から表示装置４の画面を眺めても、上記ウィンドウパターン４３以外の表示領域の表示データを盗み見ることが不可能となり、セキュリティを維持することができる。
【００３５】
また、マウスポインタ４２の移動に追従して上記ウィンドウパターン４３の表示位置があたかもスポットライトのように移動するので、操作者はマウスを操作しながら常にマウスポインタ４２とその周辺の作業範囲内の表示データを視認することが可能となる。
【００３６】
さらに、ブラインド属性設定データ及びウィンドウ属性設定データの登録受け付け機能を備えたことにより、ブラインドパターンの色や画像ファイルを操作者が任意に設定することができ、さらにウィンドウパターンの形状とそのサイズを操作者が任意に設定することができる。またブラインドパターンの透明度を設定できるようにしたことで、不特定者に対する表示データの視認の困難性を維持しつつ、操作者によるブラインド領域の表示データに対する視認性を確保することができる。
【００３７】
なお、この発明は上記実施形態に限定されるものではない。例えば、前記実施形態ではマウスポインタ４２とその周辺の限定された領域をブラインドパターン４１から露出させるようにウィンドウパターン４３を表示したが、カーソルとその周辺の限定された領域をブラインドパターン４１から露出させるようにウィンドウパターン４３を表示するようにしてもよい。
【００３８】
また、前記実施形態ではブラインド・ウィンドウ表示制御及びブラインド・ウィンドウ属性設定制御を、プログラムメモリ１３に格納されたブラインド・ウィンドウ表示制御プログラム１３１及びブラインド・ウィンドウ属性設定制御プログラム１３２により実現するようにした。しかし、それに限らずに、上記ブラインド・ウィンドウ表示制御プログラム１３１及びブラインド・ウィンドウ属性設定制御プログラム１３２を、パーソナル・コンピュータ購入後にアプリケーション・プログラムとして任意にアプリケーション・メモリ１４にインストールし、このプログラムを実行させることにより同機能を実現するようにしてもよい。
【００３９】
さらに、表示デバイスの表示画面に光沢処理を施し、ブラインドパターンの色を黒や濃紺、濃緑等の濃い色に設定するとよい。このようにすると、表示画面のブラインドパターン表示領域にバックミラーとしての機能を持たせることができ、このバックミラーにより操作者が自身の背後の様子を確認することが可能となる。
【００４０】
さらに前記実施形態ではパーソナル・コンピュータを例にとって説明したが、携帯電話機やＰＤＡ、電子手帳などの情報端末装置にも適用可能である。その他、情報端末装置の構成やブラインド・ウィンドウ表示制御の手順及び内容、ウィンドウパターンの形状、ウィンドウパターン内におけるマウスポインタの配置位置などについても、この発明の要旨を逸脱しない範囲で種々変形して実施できる。
【００４１】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４２】
【図１】この発明の一実施形態に係わる情報端末装置の構成を示すブロック図である。
【図２】図１に示した情報端末装置による情報表示制御の手順と制御内容を示すフローチャートである。
【図３】図２に示した情報表示制御手順のうちのブラインド・ウィンドウ設定処理の手順と内容を示すフローチャートである。
【図４】図２に示した情報表示制御手順のうちのブラインド・ウィンドウ表示処理の手順と内容を示すフローチャートである。
【図５】図３に示したブラインド・ウィンドウ設定処理において表示される設定メニュー画面の一例を示す図である。
【図６】図４に示したブラインド・ウィンドウ表示処理によるブラインド及びウィンドウの表示例を示す図である。
【図７】図４に示したブラインド・ウィンドウ表示処理によるブラインド及びウィンドウの移動後の表示例を示す図である。
【符号の説明】
【００４３】
１点情報端末装置、２…キーボード、３…マウス、４…表示デバイス、１１…中央処理ユニット（ＣＰＵ）、１２…バス、１３…プログラムメモリ、１４…アプリケーション・メモリ、１５…データメモリ、１６…入力インタフェース、１７…出力インタフェース、４１…ブラインド部、４２…マウスポインタ、４３…ウィンドウ部、１３１…画面表示制御プログラム、１３２…ウィンドウ表示位置移動制御プログラム、１４１…アプリケーション・プログラム、１４２…画像ファイル、１５１…ウィンドウ設定データ記憶領域、１５２…ブラインド設定データ記憶領域。
【図１】
2008293191.tif 000003
【図２】
2008293191.tif 000004
【図３】
2008293191.tif 000005
【図４】
2008293191.tif 000006
【図５】
2008293191.tif 000007
【図６】
2008293191.tif 000008
【図７】
2008293191.tif 000009